(57)【要約】【課題】光ファイバ用ソケットにおいて、光ファイバと光電変換素子の光軸合わせ作業を簡単化し、しかも光軸合わせ精度を向上し、ソケット取付対象への固定プロセスを減らす。【解決手段】ソケット１は、同時成形された回路基板３１、スリーブブロック受け部材３２及びソケット固定用端子３４と、スリーブブロック４とを備える。スリーブブロック４の嵌合突起４２をスリーブブロック受け部材３２の嵌合穴３２ａに嵌合することにより、光ファイバ１０と光電変換素子２の光軸は一致する。よって、嵌合と挿入だけで光軸合わせができる。また、成形技術による最高成形精度は寸法誤差が１μｍ以下であるので、嵌合突起４２及び嵌合穴３２ａの寸法及び位置の各精度を同程度にすることで光軸合わせ精度を向上できる。また、ソケット固定用端子３４によりソケット取付対象に直接固定できる。【選択図】図１
2012242695.tif 000002
【特許請求の範囲】
【請求項１】
光電変換素子と、
前記光電変換素子と外部装置との間で信号を伝送するための信号伝送用端子と、
前記光電変換素子及び前記信号伝送用端子が実装された回路基板と、複数の位置決め用の嵌合穴が形成された樹脂製のスリーブブロック受け部材とが同時成形された回路ブロックと、
前記スリーブブロック受け部材と対向する面に設けられ、前記複数の嵌合穴にそれぞれ嵌合される複数の位置決め用の嵌合突起と、光ファイバの先端部を保持するフェルールが嵌挿されるスリーブと、前記スリーブに前記フェルールが嵌挿された状態で前記光ファイバと前記光電変換素子とを光学的に結合させる集光機能を有したレンズとが一体的に形成されたスリーブブロックと、を備え、
前記複数の嵌合突起がそれぞれ前記複数の嵌合穴に嵌合された状態で、前記光電変換素子が前記スリーブブロックにより中空封止され、かつ前記光ファイバの光軸と該光電変換素子の光軸とが一致するように、各嵌合突起及び各嵌合穴の位置決めがなされており、
前記回路ブロックは、前記信号伝送用端子とは別体に設けられ、かつ前記回路基板及び前記スリーブブロック受け部材と同時成形されたソケット固定用部材を有し、
前記ソケット固定用部材は、ソケットをソケット取付対象に固定するためのものであることを特徴とする光ファイバ用ソケット。
【請求項２】
前記ソケット固定用部材は、前記回路基板を含む平面とソケット取付対象の表面とに対して垂直な方向に延設され、該回路基板をソケット取付対象に対して立たせた姿勢で支持するソケット固定用片により構成され、
前記固定用片は、そのソケット取付対象側の端部に、ソケット取付対象に固定される足部を有することを特徴とする請求項１に記載の光ファイバ用ソケット。
【請求項３】
前記固定用片は、前記スリーブに前記フェルールが嵌挿された状態で、該フェルールの抜け方向への移動を規制することにより、該フェルールを前記スリーブブロックに固定するためのフェルール固定部を有することを特徴とする請求項２に記載の光ファイバ用ソケット。
【発明の詳細な説明】
【技術分野】
【０００１】
本発明は、光ファイバの先端部を保持するフェルールが嵌挿され、光ファイバと光電変換素子とを光学的に結合する光ファイバ用ソケットに関する。
【背景技術】
【０００２】
従来から、光電変換素子が実装された基板と、その基板に取り付けられるスリーブとを備え、その取付け後にフェルールがスリーブに嵌挿されると、光ファイバと光電変換素子とが集光レンズを介して光結合される光ファイバ用ソケットが知られている。このソケットにおいては、基板に２つの嵌合穴が穿設されており、また、スリーブの基板との対向面に２本の嵌合軸が設けられており、それら２本の嵌合軸がそれぞれ上記２つの嵌合穴に嵌め込まれる。そして、この嵌込みにより、スリーブが基板に当接する。その当接状態で、光電変換素子がスリーブにより中空封止され、かつ光ファイバの光軸と光電変換素子の光軸とが一致するように、嵌合穴と嵌合軸とは位置決めされている。このソケットによれば、嵌合軸を嵌合穴に合わせてスリーブを基板に嵌合するだけで、光ファイバと光電変換素子の光軸を合わせることができ、光軸合わせの作業が簡単になる。また、上記嵌合により、光電変換素子を中空封止でき、その結果、光電変換素子を外部の異物から保護したり、外気の光電変換素子への影響を抑制したりすることができる（例えば、特許文献１参照）。
【先行技術文献】
【特許文献】
【０００３】
【特許文献１】特開平８−５８７２号公報
【発明の概要】
【発明が解決しようとする課題】
【０００４】
ところで、上記ソケットにおいて、基板に嵌合穴を穿設する方法としては各種の方法があるが、例えば、パンチングにより基板の一部を抜いて嵌合穴を形成する場合、その加工精度は４０μｍ程度である。従って、その加工誤差に、光電変換素子の位置決め誤差が重なると、たとえスリーブが光学部品に要求される寸法精度を有していたとしても、光ファイバと光電変換素子の光軸合わせの精度が５０μｍ程度になってしまう。そのため、光軸合わせの精度向上が望まれていた。
【０００５】
また、ソケット取付対象にソケットを固定する方法としては各種の方法があり、例えば、ソケットが固定用ケースに嵌め込まれ、そのケースがソケット取付対象に固定されるという方法がある。この方法においては、少なくとも２つの工程が必要になるが、さらに工程数を減らしたい、との要望があった。
【０００６】
本発明は、上記問題を解決するためになされたものであり、光ファイバと光電変換素子の光軸合わせ作業を簡単化でき、しかも光軸合わせ精度を向上でき、ソケット取付対象への固定プロセスの工程数を削減できる光ファイバ用ソケットを提供することを目的とする。
【課題を解決するための手段】
【０００７】
上記目的を達成するために本発明の光ファイバ用ソケットは、光電変換素子と、前記光電変換素子と外部装置との間で信号を伝送するための信号伝送用端子と、前記光電変換素子及び前記信号伝送用端子が実装された回路基板と、複数の位置決め用の嵌合穴が形成された樹脂製のスリーブブロック受け部材とが同時成形された回路ブロックと、前記スリーブブロック受け部材と対向する面に設けられ、前記複数の嵌合穴にそれぞれ嵌合される複数の位置決め用の嵌合突起と、光ファイバの先端部を保持するフェルールが嵌挿されるスリーブと、前記スリーブに前記フェルールが嵌挿された状態で前記光ファイバと前記光電変換素子とを光学的に結合させる集光機能を有したレンズとが一体的に形成されたスリーブブロックと、を備え、前記複数の嵌合突起がそれぞれ前記複数の嵌合穴に嵌合された状態で、前記光電変換素子が前記スリーブブロックにより中空封止され、かつ前記光ファイバの光軸と該光電変換素子の光軸とが一致するように、各嵌合突起及び各嵌合穴の位置決めがなされており、前記回路ブロックは、前記信号伝送用端子とは別体に設けられ、かつ前記回路基板及び前記スリーブブロック受け部材と同時成形されたソケット固定用部材を有し、前記ソケット固定用部材は、ソケットをソケット取付対象に固定するためのものであることを特徴とする。
【０００８】
この発明において、前記ソケット固定用部材は、前記回路基板を含む平面とソケット取付対象の表面とに対して垂直な方向に延設され、該回路基板をソケット取付対象に対して立たせた姿勢で支持するソケット固定用片により構成され、前記固定用片は、そのソケット取付対象側の端部に、ソケット取付対象に固定される足部を有することが望ましい。
【０００９】
この発明において、前記固定用片は、前記スリーブに前記フェルールが嵌挿された状態で、該フェルールの抜け方向への移動を規制することにより、該フェルールを前記スリーブブロックに固定するためのフェルール固定部を有することが望ましい。
【発明の効果】
【００１０】
本発明によれば、スリーブブロックの嵌合突起をスリーブブロック受け部材の嵌合穴に嵌合させ、スリーブブロックにフェルールを嵌合するだけで、フェルール内の光ファイバと回路基板上の光電変換素子との光軸合わせを行うことができる。従って、光軸合わせの作業が簡単になる。
また、スリーブブロック受け部材の嵌合穴は、当該部材と回路基板との同時成形時に形成することができ、成形技術で実現可能な最高成形精度は、寸法誤差が１μｍ以下の精度であることから、嵌合穴の寸法及び位置の各精度を同程度とすることができる。従って、従来のように回路基板をパンチング加工して嵌合穴を形成する場合と比べ、嵌合穴の寸法及び位置精度を高くすることができ、それにより、嵌合穴と嵌合突起との嵌合精度を向上することができ、結果として、光軸合わせの精度向上を図ることができる。
また、ソケット固定用部材が回路ブロックと同時成形されているので、ソケット固定用部材を用いてソケットをソケット取付対象に直接、固定することができる。そのため、従来のように、ソケットを固定用ケースに嵌め込み、それからそのケースをソケット取付対象に固定する場合と比べ、ソケット取付対象への固定プロセスの工程数を減らすことができる。
【図面の簡単な説明】
【００１１】
【図１】本発明の第１の実施形態に係る光ファイバ用ソケットの分解斜視図。
【図２】上記ソケットの斜視図。
【図３】上記ソケットにおける端子の折曲げ加工前の斜視図。
【図４】（ａ）は上記ソケットのフェルール嵌挿前の断面図、（ｂ）はそのフェルール挿入後の断面図。
【図５】本発明の第２の実施形態に係る光ファイバ用ソケットの分解斜視図。
【図６】上記ソケットにおけるソケット固定用部材の折曲げ加工前の斜視図。
【図７】本発明の第３の実施形態に係る光ファイバ用ソケットの使用時の斜視図。
【発明を実施するための形態】
【００１２】
（第１の実施形態）
図１及び図２は、本発明の第１の実施形態に係る光ファイバ用ソケット（以下、単にソケットという）の構成を示す。そのソケット１は、光電変換素子２と、光電変換素子２が実装された回路ブロック３と、回路ブロック３に取り付けられるスリーブブロック４とを備えた横置き型である。スリーブブロック４には、光ファイバ１０の先端部を保持するフェルール１１が嵌挿され、それにより、光ファイバ１０と光電変換素子２とが光学的に結合される。
【００１３】
光電変換素子２は、発光素子と受光素子のいずれであっても構わず、回路基板３１にベアチップ実装されている。回路ブロック３は、光電変換素子２が実装された回路基板３１と、樹脂製のスリーブブロック受け部材（以下、受け部材という）３２とを有し、それらは、例えばインサート成形により同時成形されている。
【００１４】
回路基板３１には、光電変換素子２と外部装置との間で信号を伝送するための信号伝送用端子３３と、ソケット１をソケット取付対象に固定するためのソケット固定用端子３４（ソケット固定用部材）とが実装されている。端子３３、３４は、図３に示されるように、元々、回路基板３１と平行に延びているが、ソケット取付対象の表面に沿うように折り曲げられ、それらの先端部が、ソケット取付対象の表面に、例えば半田付けによって固定される。
【００１５】
また、回路基板３１には、位置決め用の嵌合穴３２ａを例えば２つ樹脂成形するために２つの貫通孔３１ａが予め設けられている。各貫通孔３１ａには、受け部材３２を構成する樹脂材が入り込んでおり、各貫通孔３１ａの中に、嵌合穴３２ａが１つずつ樹脂成形されている。嵌合穴３２ａは、上記の数に限定されず、複数であればよい。回路基板３１において、光電変換素子２が実装された面（以下、素子実装面という）３１ｂには、制御ＩＣ５がさらに実装されている。制御ＩＣ５は、光電変換素子２が発光素子である場合、光電変換素子２の発光制御を行い、光電変換素子２が受光素子である場合、光電変換素子２により受信され光電変換された信号の増幅等の信号処理を実行する。
【００１６】
受け部材３２は、回路基板３１を全体的に覆うように形成されているが、回路基板３１のうち、少なくとも光電変換素子２の実装箇所と、その周囲の素子実装面３１ｂと、貫通孔３１ａとを含む領域を露出させるように形成されている。以下、その露出した領域を露出領域という。嵌合穴３２ａは、円柱状の貫通孔であるが、一端が閉塞された穴であってもよい。光電変換素子２の実装位置は、２つの嵌合穴３２ａの各々の中心を結ぶ線分の中点である。嵌合穴３２ａの開口周縁と素子実装面３１ｂとの間に、誤差により高低差があったとしても、それは１ｍｍ以内であることが好ましく、０．５ｍｍ以内であることが特に望ましい。
【００１７】
受け部材３２は、上記の露出領域を囲むように形成されており、スリーブブロック４が挿入される枠３２ｂを有する。枠３２ｂは、スリーブブロック４が挿入された状態でスリーブブロック４の外周を囲むように、その穴がスリーブブロック４の外周に沿う形状とされている。スリーブブロック４が円筒状である場合、枠３２ｂの穴は円状である。
【００１８】
受け部材３２の基材は、例えばアクリル等の熱可塑性樹脂又はエポキシ等の熱硬化性樹脂であり、強度を高めるため、例えばガラス繊維を含むことが望ましい。このような材料により作製される光学部品は、非常に高精度に成形することができ、最も高精度なものは、いわゆるサブミクロンの精度、すなわち寸法誤差が１μｍ以下の精度であり、受け部材３２はその成形精度で形成されている。
【００１９】
スリーブブロック４は、スリーブ４１と、後述のレンズ（図１では不図示）と、位置決め用の嵌合突起４２とが一体的に形成されている。スリーブ４１には、使用時に、フェルール１１が嵌挿される。嵌合突起４２は、嵌合穴３２ａに嵌合される位置決め用のピンで構成される。
【００２０】
嵌合突起４２は、嵌合穴３２ａと同数であり、これらの嵌合突起４２は、スリーブ４１において受け部材３２と対向する面４１ａに設けられている。嵌合突起４２は、嵌合穴３２ａに嵌合可能な形状であって、例えば円柱状であり、その先端は、嵌合穴３２ａに挿入し易いように丸みを帯びていることが望ましい。２つの嵌合突起４２は、２つの嵌合穴３２ａにそれぞれ嵌合される。嵌合突起４２は、その長さが枠３２ｂの厚みよりも長い。従って、スリーブブロック４を回路ブロック３に取り付けるとき、最初に嵌合突起４２を嵌合穴３２ａに挿入でき、次いでスリーブブロック４を枠３２ｂに挿入できるようにされている。
【００２１】
スリーブブロック４は、例えば熱可塑性樹脂又は熱硬化性樹脂を材料とする光学材料により形成されており、その光学材料は、特定波長、例えば８５０ｎｍのレーザ光を透過させるものである。スリーブブロック４の成形精度は、受け部材３２と同程度とする。
【００２２】
図４（ａ）（ｂ）は、ソケット１の内部構造を示す。回路基板３１は、両面に配線パターン３１ｃが形成された基板であり、その基板は、配線パターン３１ｃを表面に形成しても配線パターンが剥離し難い材料から成る。配線パターン３１ｃは、光電変換素子２への信号送信又は光電変換素子２からの信号受信のための信号ライン等を含む。素子実装面３１ｂの配線パターン３１ｃは、信号を伝送する信号ラインとし、素子実装面３１ｂの裏面３１ｄの配線パターン３１ｃはグランドラインとする。
【００２３】
スリーブブロック４のレンズ４３は、スリーブ４１の回路ブロック３側の開口端よりも内方に設けられており、スリーブ４１にフェルールが嵌挿されるとき、その嵌挿状態で光ファイバと光電変換素子２とを光学的に結合させる集光機能を有する。
【００２４】
嵌合突起４２が嵌合穴３２ａに嵌合された状態で、スリーブブロック４の面４１ａは、回路ブロック３の素子実装面３１ｂ及び嵌合穴３２ａの開口周縁の表面に当接する。その当接によって、光電変換素子２及び制御ＩＣ５がレンズ４３とスリーブ４１の内壁４１ｂとにより中空封止されるように、各嵌合突起４２及び各嵌合穴３２ａは、予め位置決めがなされている。
【００２５】
嵌合突起４２が嵌合穴３２ａに嵌合された状態で、スリーブ４１にフェルール１１が嵌挿されたとき、光ファイバ１０の光軸と光電変換素子２の光軸とが一致するように、各嵌合突起４２と各嵌合穴３２ａとは、予め位置決めがなされている。従って、スリーブ４１にフェルール１１が嵌挿されると、光ファイバ１０と光電変換素子２との光軸合わせが行われ、それにより、パッシブアライメントが実行され、結果として、両者の光軸（図２（ｂ）の破線で示す）が一致する。
【００２６】
次に、図１及び図２を参照して、ソケット１の組立て方法を説明する。本実施形態では、測定装置で光信号のレベルをモニタしながら光ファイバと光電変換素子の光軸合わせを行うアクティブアラインメントを実行せず、各部品の寸法精度と位置決め精度だけで所定の組立て精度を確保する。
【００２７】
まず、２つの嵌合穴３２ａの各々の開口周縁形状と位置とが測定される。この測定は、例えば、チップマウンタの撮像装置を用いて、回路ブロック３の嵌合穴３２ａを含む領域を撮像し、その撮像された領域の画像を基に、周知の画像特徴抽出技術を用いて各嵌合穴３２ａの開口周縁形状と位置とを抽出することより行われる。ここで、各部の寸法を例示する。光電変換素子２の平面寸法は□０．３（０．３ｍｍ×０．３ｍｍ）程度であり、また、２つの嵌合穴３２ａの間隔は４ｍｍ程度である。従って、チップマウンタの撮像装置は微小領域を撮像すればよいので、レンズの撮像倍率を高くすることにより、各嵌合穴３２ａの開口周縁形状及び位置の測定精度を高くすることができる。例えば、１０μｍ程度の精度まで位置決め精度を上げることができ、本実施形態ではそのようにする。
【００２８】
各嵌合穴３２ａの開口周縁形状及び位置の測定後、その測定された開口周縁形状及び位置を基に、画像特徴抽出技術を用いて各嵌合穴３２ａの中心位置が求められる。そして、それらの中心位置を基準として、光電変換素子２の位置決めがなされる。この位置決めにおいては、例えば、各嵌合穴３２ａの中心を結ぶ線分が求められ、その線分の中点が光電変換素子２の実装位置に決められる。その後、回路基板３１におけるその決められた実装位置に光電変換素子２が実装される。
【００２９】
光電変換素子２の実装後、素子実装面３１ｂと受け部材３２の露出領域とにおいて、スリーブ４１の面４１ａが当接する部位に、接着剤が塗布される。接着剤の塗布位置は、接着剤が光電変換素子２等に付かないようにするため、上記当接部位の隅付近とされる。接着剤の塗布後、嵌合突起４２が嵌合穴３２ａに嵌合され、スリーブ４１が枠３２ｂに挿入される。なお、スリーブブロック４及びフェルール１１は、光学部品として要求されるレベルの嵌合精度を満たしている。
【００３０】
上記のように構成された本実施形態のソケット１では、スリーブブロック４の嵌合突起４２を受け部材３２の嵌合穴３２ａに嵌合させ、フェルール１１をスリーブブロック４に嵌合するだけで、光電変換素子２と光ファイバ１０の光軸合わせを行うことができる。従って、光軸合わせ作業が簡単になる。
【００３１】
また、受け部材３２の嵌合穴３２ａは、受け部材３２と回路基板３１との同時成形時に形成することができ、成形技術で実現可能な最高成形精度は、寸法誤差が１μｍ以下の精度であることから、嵌合穴３２ａの寸法及び位置の各精度を同程度とすることができる。従って、従来のように回路基板をパンチング加工して嵌合穴を形成する場合と比べ、嵌合穴３２ａの寸法及び位置精度を高くすることができ、それにより、嵌合穴３２ａと嵌合突起４２との嵌合精度を向上することができる。その結果、光軸合わせの精度向上を図ることができる。
【００３２】
また、光電変換素子２の実装位置を決めるのに、撮像装置が用いられ、その撮像装置による撮像範囲は回路基板３１全体ではなく、位置決めの基準となる各嵌合穴３２ａを含む微小範囲で済む。そのため、撮像装置のレンズの撮像倍率を高くすることにより、各嵌合穴３２ａの測定精度を高くすることができ、従って、位置決め精度は、寸法誤差が１０μｍ程度の精度にまで上げることができる。さらに、スリーブブロック４は光学部品に要求される成形精度を有することから、嵌合突起４２と嵌合穴３２ａとの嵌合精度を数μｍ程度にすることができる。従って、スリーブブロック４とフェルール１１とが、光学部品として要求されるレベルの嵌合精度を有していれば、上記各種精度から、光電変換素子２と光ファイバ１０を十数μｍ程度の精度で光結合させることができる。そのため、光軸合わせの精度をさらに向上することができる。
【００３３】
また、光軸合わせにおいて、光信号の測定装置の接続及びスリーブブロックの位置の微調整が必要なアクティブアライメントと比べ、それらが不要なので、光軸合わせに要する時間を大幅に短縮することができる。
【００３４】
また、各嵌合穴３２ａが撮像され、その撮像された各嵌合穴３２ａの画像を基に、画像特徴抽出技術により各嵌合穴３２ａの中心位置が求められるので、各嵌合穴３２ａの開口周縁形状に係らず、高精度に各嵌合穴３２ａの中心位置を求めることができる。従って、その求められた各嵌合穴３２ａの中心位置を基準にして、光電変換素子２の位置を高精度に決めることができる。
【００３５】
また、素子実装面３１ｂと嵌合穴３２ａの開口周縁とが同一平面に在るので、撮像装置によって撮像したそれらの平面視画像を基に、嵌合穴３２ａ間、及び各嵌合穴３２ａと光電変換素子２の実装位置との間の距離を正確に測定することができる。従って、光電変換素子２の位置決め精度がさらに高まる。
【００３６】
また、ソケット固定用端子３４が回路ブロック３と同時成形により一体的に形成されているので、その端子３４を用いてソケット１をソケット取付対象に直接固定することができる。従って、従来のように、ソケットを、別途設けた固定用ケースに嵌め込み、それからケースをソケット取付対象に固定する場合と比べ、ソケット取付対象への固定プロセスの工程数を減らすことができる。また、ソケット固定用端子３４が回路ブロック３に一体的に設けられることから、部品管理が容易になる。
【００３７】
また、光電変換素子２は、スリーブブロック４により中空封止されるので、光電変換素子２を、外部からの力及び異物から保護し、かつ外部からのガスの影響を受け難くすることができる。そのため、光電変換素子２の故障を減らし、かつその劣化を抑制することができる。従って、光電変換素子２の信頼性向上と長寿命化とを図ることができる。
【００３８】
また、回路基板３１の配線は、高周波信号を伝送することから、その配線については、信号の反射等を防ぐためインピーダンス整合を図ることが重要である。その点で、回路基板３１は、両面配線基板であることから、配線自由度が高く、インピーダンス整合の設計自由度が高いので、インピーダンス整合を高精度に行うことができる。従って、高周波信号の反射等を防いで通信品質の向上を図ることできる。しかも、高精度なインピーダンス整合に必要とされるグランドライン等の配線は、回路基板３１とは別に用意しなくて済み、従って、ソケット１の小型化を図ることができる。
【００３９】
ところで、嵌合突起４２の長さが枠３２ｂの厚みよりも短い場合、スリーブブロック４を回路ブロック３に取り付ける際に、嵌合突起４２を嵌合穴３２ａに挿入しようとしても、まずスリーブブロック４を枠３２ｂに挿入する必要が生じる。そのため、挿入時に嵌合突起４２の位置がずれてしまい、結果として、嵌合突起４２を嵌合穴３２ａに挿入し難くなって組立てに時間が掛かったりする虞がある。
【００４０】
それに対して、本実施形態では、嵌合突起４２が枠３２ｂの厚みよりも長いことから、スリーブブロック４を回路ブロック３に取り付けるとき、最初に嵌合突起４２を嵌合穴３２ａに嵌合でき、次いでスリーブブロック４を枠３２ｂに挿入できる。従って、スムーズな取付けが可能になり、組立て時間を短縮できる。
【００４１】
（第２の実施形態）
図５は、本発明の第２の実施形態に係るソケットの構成を示す。同図において、上記第１の実施形態と同一の部材に、同一の符号を付す（以下、同様）。本実施形態のソケット１は、縦置き型であり、ソケット固定用部材として、ソケット固定用端子３４の代わりに、ソケット固定用片（以下、固定用片という）３５を有する。
【００４２】
固定用片３５は、回路基板３１を含む平面とソケット取付対象の表面とに対して垂直な方向に延設されており、回路基板３１をソケット取付対象に対して立たせた姿勢で支持する。固定用片３５は、銅片等の金属片であって、回路基板３１及び受け部材３２と例えばインサート成形により同時成形されており、スリーブ４１を挟んで互いに向かい合うように、受け部材３２の対向する側面に対として配設されている。
【００４３】
また、固定用片３５は、そのソケット取付対象側の端部に足部３５ａを有し、足部３５ａは、ソケット取付対象の表面に沿うように形成されており、ソケット取付対象に半田付けにより固定される。信号伝送用端子３３は、回路ブロック３の底面から延出しており、ソケット取付対象の表面に沿うように折曲げ加工が施されている。
【００４４】
図６に示されるように、固定用片３５は、元々、その根元部分が受け部材３２の側面に埋め込まれて固定された平板であって、受け部材３２の側方に延びており、その平板が折り曲げ加工により上記形状を形成している。足部３５ａ及び信号伝送用端子３３は、折り曲げられずにソケット取付対象の穴に挿入されて固定されてもよい。
【００４５】
本実施形態においては、足部３５ａを用いて直接、ソケット取付対象にソケット１を固定できることから、上記第１の実施形態と同様に、ソケット取付対象への固定プロセスの工程数を減らすことができる。しかも、固定用片３５は金属片により構成されることから、固定用片３５によって、光信号へのノイズの重畳を抑制することができ、いわゆるシールド効果が得られる。そのため、シール部材を別途設けなくて済み、製造コストの低減及び小型化を図ることができる。
【００４６】
（第２の実施形態の一変形例）
図７は、上記第２の実施形態の一変形例に係るソケットの構成を示す。本変形例の固定用片３５は、フェルール固定部３５ｂをさらに有する。このフェルール固定部３５ｂは、フェルール１１がスリーブ４１に嵌挿された状態で、フェルール１１の抜け方向への移動を規制することにより、フェルール１１をスリーブブロック４に固定するためのものである。
【００４７】
フェルール固定部３５ｂは、元々、固定用片３５の本体先端部からスリーブ４１の軸方向と平行に延びるように形成されている（破線で示す）。フェルール固定部３５ｂは、フェルール１１がスリーブ４１に嵌挿された状態で、スリーブ４１に向かって略直角に折り曲げられることによりフェルール１１に当接し、フェルール１１の抜け方向の移動を規制する。
【００４８】
本変形例においては、上記第２の実施形態と同等の効果が得られる。また、フェルール１１はフェルール固定部３５ｂによりスリーブブロック４に固定されるので、スリーブ４１への嵌合による摩擦力だけでフェルール１１を固定する場合と比べ、フェルール１１の抜け防止効果を向上できる。しかも、フェルール固定部３５ｂは、回路ブロック３と同時成形された固定用片３５に設けられていることから、上記の抜け防止効果を向上するための部品を別途設けなくて済む。従って、そのような部品を装着する作業はなくて済み、作業が簡単なものになる。また、部品管理が容易になる。
【００４９】
なお、本発明は、上記の各実施形態の構成に限定されるものでなく、使用目的に応じ、様々な変形が可能である。例えば、回路基板３１は、配線パターン３１ｃが積層された多層配線基板であってもよい。また、そのような場合に、回路基板３１の裏面３１ｄに実装された電子部品と、その電子部品が接続された配線パターン３１ｃとを、受け部材３２と回路基板３１との同時成形により封止しても構わない。この構成によれば、裏面３１ｄにおいて、実装された電子部品と配線との間、電子部品間、及び配線間が異物及び結露等により短絡することを防ぐことができ、回路の故障を防止することができる。
【００５０】
また、嵌合穴３２ａの形状が四角柱状であり、これに対応して、嵌合突起４２が四角柱状のピンであってもよい。このような場合の組立て工程における光電変換素子２の位置決めは、平面視で各嵌合穴３２ａの中心、又は各嵌合穴３２ａの所定の１点の頂点を基準としてなされる。頂点を用いる場合、各嵌合穴３２ａにおいて他方の嵌合穴３２ａに対向する辺が選ばれ、その選ばれた各辺につき、その辺の一端を他方の辺の他端と結ぶ対角線が求められ、求められた２本の対角線の交点が光電変換素子２の位置とされる。また、上記第２の実施形態とその変形例とにおいて、固定用片３５は、金属片ではなく、受け部材３２に一体的に形成された樹脂片であってもよい。
【符号の説明】
【００５１】
１  光ファイバ用ソケット
２  光電変換素子
３  回路ブロック
３１  回路基板
３２  スリーブブロック受け部材
３２ａ  嵌合穴
３２ｂ  枠
３３  信号伝送用端子
３４  ソケット固定用端子（ソケット固定用部材）
３５  ソケット固定用片（ソケット固定用部材）
３５ａ  足部
３５ｂ  フェルール固定部
４  スリーブブロック
４１  スリーブ
４１ａ  スリーブブロック受け部材と対向する面
４２  嵌合突起
４３  レンズ
１０  光ファイバ
１１  フェルール
【図１】
2012242695.tif 000003
【図２】
2012242695.tif 000004
【図３】
2012242695.tif 000005
【図４】
2012242695.tif 000006
【図５】
2012242695.tif 000007
【図６】
2012242695.tif 000008
【図７】
2012242695.tif 000009